(57)【特許請求の範囲】
【請求項１】
任意の情報やメニュー等を提供するための階層的なウィンドウ画面を表示する画像表示手段と、
前記画像表示手段に表示される画像に対して入力操作を行う入力操作手段と、
前記画像表示手段により表示された上位画面に含まれる所定の領域に関連する下位画面を、上位画面に重ねて表示し、前記入力操作手段により前記所定の領域と関連のない領域に対する入力操作が行われた場合に前記下位画面を非表示する表示制御手段と、
前記入力操作手段により前記下位画面に対する入力操作が行われた場合に前記下位画面を保持し続けるか否かが示される選択画面を表示する選択画面表示制御手段と、を備え、
前記表示制御手段は、前記入力操作手段により前記選択画面で前記下位画面を保持し続ける旨の入力操作が行われた場合、表示されている前記下位画面を任意の期間表示し続けるように制御すること、
を特徴とするポップアップ表示装置。
【請求項２】
前記画像表示手段により表示される前記所定の領域は、利用者に指定された場合に所定の処理を行う領域であり、
当該所定の領域に関連する情報を提示する前記下位画面の大きさや表示内容位置の変更を行う下位画面変更手段をさらに備えていることを特徴とする請求項１に記載のポップアップ表示装置。
【請求項３】
前記表示制御手段は、表示し続けている前記下位画面がある場合、当該下位画面と並行して他の下位画面を表示したり、当該他の下位画面に対しても任意の期間表示し続けるように制御することを特徴とする請求項１に記載のポップアップ表示装置。
【請求項４】
前記画像表示手段により表示される所定の領域は、利用者に指定された場合に所定の処理を行う領域であり、
前記表示制御手段は、複数の下位画面を表示した場合に、前記画像表示手段により表示された前記上位画面に含まれる複数の所定の領域のそれぞれと、当該所定の領域のそれぞれに関連する複数の下位画面と、の関連を示す関連情報の表示を行うこと、
を特徴とする請求項３に記載のポップアップ表示装置。
【請求項５】
前記表示制御手段は、さらに、前記入力操作手段により前記下位画面に対する入力操作が行われた場合、前記関連情報として、入力操作が行われた前記下位画面に関連する所定の領域を、他の所定の領域と視覚的に異なる効果で表示すること、
を特徴とする請求項４に記載のポップアップ表示装置。
【請求項６】
前記表示制御手段により任意の期間表示される前記下位画面を任意の位置へ移動する移動手段をさらに備えていることを特徴とする請求項１乃至５のいずれか一つに記載のポップアップ表示装置。
【発明の詳細な説明】
【０００１】
【発明の属する技術分野】
本発明は、ポップアップ表示装置に関し、より詳しくは、コンピュータやテレビ等のディスプレイ画面上に表示した上位画面から下位画面を上書表示することにより詳細な情報やメニュー等を提供するポップアップ表示装置に関する。
【０００２】
【従来の技術】
従来より、コンピュータのディスプレイ画面上において、マウスのカーソル等が操作や表示の対象オブジェクト（アイコンやボタンなど）の上に乗った状態（トロールオーバー状態）で左クリックなどの選択を行うと、そのアイコンやボタンに関する説明文が書かれたウィンドウ画面が上書表示されるポップアップ表示（ツールヒントやポップヒント等と称される）が一般に行われていた。
【０００３】
このポップアップ表示は、操作者がディスプレイ画面に表示された用語の意味や操作方法が分からない場合に、マウスやキーボード操作だけでディスプレイ画面上に説明文を表示することができ、これを読み進むだけで容易に理解できるようにしたものである。表示されたポップアップ画面中に不明な部分があると、その部分をクリックすることによりさらに下位のウィンドウ画面を上書表示するといった階層的表示を行うことができる。
【０００４】
また、アイコンやボタンをマウス等で右クリックすると、操作メニュー等が書かれたウィンドウ画面が表示されるポップアップ表示も行われていた。このポップアップ表示は、主にマウスだけで入力操作する場合であっても、良好な操作性が得られるようにしたものである。
【０００５】
このように、従来のポップアップ表示に関する発明としては、画面上での操作性を一層向上させるため、種々の改良が加えられており、例えば、特開平１０−３２０１６６号公報に記載の「ポップアップ表示装置および材料試験機用ポップアップ表示装置」、あるいは、特開平５−２６５６８４号公報に記載の「ウインドウ・ポップアップ制御方法」などがある。
【０００６】
【発明が解決しようとする課題】
しかしながら、このような従来のポップアップ表示装置にあっては、一旦表示させたポップアップ表示のカーソルを別な場所に移動させたり、別な対象オブジェクトをカーソル等で選択すると、前のポップアップ表示が消えてしまうという問題があった。
【０００７】
そして、従来のポップアップ表示装置にあっては、別な対象オブジェクトをカーソル等で選択すると、前のポップアップ表示が消えてしまうため、複数のポップアップ表示を同時に表示できないことから、複数のポップアップ表示同士を比較するなどの操作を行うことができないという問題があった。
【０００８】
また、従来のポップアップ表示装置にあっては、表示したポップアップ画面を任意の位置に移動することができなかったため、ポップアップ表示の内容を見ながら作業を行ったり、内容を比較しながら操作することが困難な場合があるという問題があった。
【０００９】
さらに、従来のポップアップ表示装置にあっては、ポップアップ画面の画面サイズが変更できなかったため、ポップアップ画面内の情報量をある程度限定せざるを得ないという問題があった。そこで、最初から多くの情報を表示できるようにポップアップ画面サイズを大きくしておくと、限られた面積の画面内の多くの部分がポップアップ画面で占められてしまうため、操作環境に悪影響を及ぼすという問題があった。
【００１０】
本発明は、上記課題を解決するためになされたものであり、ポップアップ表示を任意に保持したり消去することができると共に、複数のポップアップ画面を同時に表示したり、ポップアップ表示を元の情報との関連性を維持しつつ任意の位置に移動させたり、ポップアップ画面サイズを変更することが可能なポップアップ表示装置を提供することを目的とする。
【００１１】
【課題を解決するための手段】
上記課題を解決するために、請求項１記載の発明は、任意の情報やメニュー等を提供するための階層的なウィンドウ画面を表示する画像表示手段と、前記画像表示手段に表示される画像に対して入力操作を行う入力操作手段と、前記画像表示手段により表示された上位画面に含まれる所定の領域に関連する下位画面を、上位画面に重ねて表示し、前記入力操作手段により前記所定の領域と関連のない領域に対する入力操作が行われた場合に前記下位画面を非表示する表示制御手段と、前記入力操作手段により前記下位画面に対する入力操作が行われた場合に前記下位画面を保持し続けるか否かが示される選択画面を表示する選択画面表示制御手段と、を備え、前記表示制御手段は、前記入力操作手段により前記選択画面で前記下位画面を保持し続ける旨の入力操作が行われた場合、表示されている前記下位画面を任意の期間表示し続けるように制御すること、を特徴とする。
【００１２】
これによれば、画像表示手段に任意の情報やメニュー等を提供するための階層的なウィンドウ画面が表示され、画像表示手段により表示された上位画面に含まれる所定の領域に関連する下位画面を、上位画面に重ねて表示する制御が行われる。そして、入力操作手段により下位画面に対する入力操作が行われた場合、下位画面を保持し続けるか否かを示す選択画面を表示し、入力操作手段により選択画面で下位画面を保持し続ける旨の入力操作が行われた場合、表示された下位画面を任意の期間表示し続けるように制御する。このため、カーソル等を別の場所に移動したり、別の対象オブジェクトをカーソル等で選択したとしても、下位画面（前のポップアップ画面）の表示を保持しておくことができる。
【００１３】
請求項２記載の発明は、請求項１に記載のポップアップ表示装置において、前記画像表示手段により表示される前記所定の領域は、利用者に指定された場合に所定の処理を行う領域であり、当該所定の領域に関連する情報を提示する前記下位画面の大きさや表示内容位置の変更を行う下位画面変更手段をさらに備えていることを特徴とする。
【００１４】
これによれば、下位画面変更手段により下位画面（ポップアップ表示）の大きさや表示内容位置が変更できるため、最初に表示する下位画面のサイズが小さくても、情報量に応じて画面サイズを変更したり、また、画面サイズを変えなくても、スクロール表示などを行うことにより、多くの情報を表示することができる。
【００１５】
請求項３記載の発明は、請求項１または２に記載のポップアップ表示装置において、前記表示制御手段は、表示し続けている前記下位画面がある場合、当該下位画面と並行して他の下位画面を表示したり、当該他の下位画面に対しても任意の期間表示し続けるように制御することを特徴とする。
【００１６】
これによれば、下位画面があっても、表示制御手段はこれと並行して他の下位画面の表示を行ったり、画面の保持操作ができるため、複数の下位画面（ポップアップ表示）を同時に表示させることができる。
【００１７】
請求項４記載の発明は、請求項３に記載のポップアップ表示装置において、前記画像表示手段により表示される所定の領域は、利用者に指定された場合に所定の処理を行う領域であり、前記表示制御手段は、複数の下位画面を表示した場合に、前記画像表示手段により表示された前記上位画面に含まれる複数の所定の領域のそれぞれと、当該所定の領域のそれぞれに関連する複数の下位画面と、の関連を示す関連情報の表示を行うこと、を特徴とする。
【００１８】
これによれば、元情報である上位画面の所定の領域と、下位画面との関連性が示されることで、下位画面（ポップアップ表示）がどの元情報に関連しているものかを容易に知ることができる。
【００１９】
請求項５記載の発明は、請求項４に記載のポップアップ表示装置において、前記表示制御手段は、さらに、前記入力操作手段により前記下位画面に対する入力操作が行われた場合、前記関連情報として、入力操作が行われた前記下位画面に関連する所定の領域を、他の所定の領域と視覚的に異なる効果で表示すること、を特徴とする。
【００２０】
これによれば、所定の領域と下位画面の対応関係が視覚的に確認できる。
【００２１】
請求項６記載の発明は、請求項１乃至５のいずれか一つに記載のポップアップ表示装置において、前記表示制御手段により任意の期間表示される前記下位画面を任意の位置へ移動する移動手段をさらに備えていることを特徴とする。
【００２２】
これによれば、下位画面を移動手段により任意の位置へ移動することができるため、下位画面（ポップアップ表示）の内容を見ながら作業したり、また、内容を比較しながら作業を行うことができる。
【００２３】
【発明の実施の形態】
以下、本発明のポップアップ表示装置の実施の形態について、添付の図面を参照して詳細に説明する。
【００２４】
（実施の形態１）
図１は、本実施の形態１に係るポップアップ表示装置の概略構成を示すブロック図である。図１におけるポップアップ表示装置１は、表示制御手段、画面保持操作手段、移動手段、閉画面操作手段、下位画面変更手段、関連情報表示手段としてのＣＰＵ２、入力操作手段、画面保持操作手段、移動手段、閉画面操作手段、下位画面変更手段、関連情報表示手段としてのマウス３やキーボード４、記憶手段としてのメモリ５や表示メモリ６、および画像表示手段としてのディスプレイ７などで構成されている。
【００２５】
また、上記したＣＰＵ２は、どのようなイベントが発生したのかを検出するイベント検出部８と、その発生したイベントに応じて処理を行うイベント処理部９とを備えている。
【００２６】
図２は、通常のポップアップ表示の画面例を示した図である。ポップアップ表示は、上位画面であるボタン１３上にマウスのカーソル１２を乗せて左クリックすると、ボタン１３に関連した情報が表示された下位画面であるポップアップ表示１１が表示される。
【００２７】
これまでは、ボタン１３からカーソル１２が外れたり、他のボタン（不図示）を左クリックするとポップアップ表示１１が消えてしまっていたが、本実施の形態１では、ポップアップ表示１１を任意に保持できるようにしたものである。
【００２８】
図３は、マウスの右クリックのメニューにポップアップ表示の保持ボタンを設けた図である。図３に示すように、ポップアップ表示１１を表示した後、マウス３を右クリックすることによりメニュー１４が表示される。ここでは、メニュー１４内にポップアップ表示を保持するための保持ボタン１４ａが少なくとも設けられていて、これ以外にも後述する表示解除ボタン１４ｂなどを設けていてもよい。表示されたポップアップ表示１１を保持しておきたい場合は、操作者がメニュー１４内の保持ボタン１４ａを選択することにより、必要に応じて表示を保持しつづけることができる。
【００２９】
図４および図５は、キーボードとマウスを使ってポップアップ表示を保持させる場合の説明図である。図４に示すように、ポップアップ表示１１を表示させた状態でキーボード４の特定キー（ここでは、Ｓｈｉｆｔキー）を押しながらマウス３を左クリックすることにより、ポップアップ状態が保持される。この状態では、マウス３のカーソル１２を移動させてもポップアップ表示１１は消えない。ここでは、図５に示すように、ポップアップ表示１１内にポップアップ表示の保持を解除する解除ボタン１１ａが表示されていて、操作者がこの解除ボタン１１ａをマウス３等でクリックすることにより、ポップアップ表示１１の保持を解除することができる。
【００３０】
（実施の形態２）
本実施の形態２の特徴は、複数のポップアップ表示を任意に保持できるようにした点である。本実施の形態２のポップアップ表示装置１は、上記実施の形態１の図１と略同様であるので、構成説明を省略する。
【００３１】
図６〜図８は、実施の形態２の動作を説明する図である。まず、図中には、複数の文書アイコン２３〜２９が表示されていて、その中の文書アイコン２３にマウス３のカーソル２２を乗せて左クリックして、ポップアップ表示２１を表示する（図６参照）。
【００３２】
ここで、上記実施の形態１と同様に、ポップアップ表示２１を行った後、マウス３を右クリックしてメニュー３１を表示させ、保持ボタン３１ａを選択することにより、ポップアップ表示２１を保持させる（図７参照）。
【００３３】
次に、他の文書アイコン２６にマウス３のカーソル２２を乗せて左クリックすることで、ポップアップ表示４１を表示させることができる（図８参照）。これにより、ポップアップ表示２１とポップアップ表示４１を同時に画面上に表示できるため、ポップアップ表示の内容を同時に複数見ることができる。
【００３４】
本実施の形態２では、同時に表示するポップアップ表示を２つとしたが、これに限定されず、ポップアップ表示４１を保持した後、次々にポップアップ表示を行っては保持する動作を繰り返すことで、同時に表示可能なポップアップ表示の数を限りなく増やすこともできる。
【００３５】
（実施の形態３）
本実施の形態３の特徴は、ポップアップ表示を任意の位置に移動できるようにした点である。本実施の形態３のポップアップ表示装置１は、上記実施の形態１の図１と略同様であるので、構成説明を省略する。
【００３６】
図９および図１０は、実施の形態３の動作を説明する図である。なお、図９の前段の動作については、実施の形態２の図６および図７と同じであるので、これを使って動作を説明することにする。
【００３７】
まず、図６に示すように、文書アイコン２３〜２９の中の文書アイコン２３にマウス３のカーソル２２を乗せて左クリックすることで、ポップアップ表示２１が表示される。そして、図７では、ポップアップ表示２１を行った後、マウス３を右クリックしてメニュー３１を表示させ、メニュー表示の中の保持ボタン３１ａを選択することにより、ポップアップ表示２１が保持される。
【００３８】
次に、図９に示すように、操作者は、マウス３のカーソル２２を使ってポップアップ表示２１の枠を掴んで右方向の任意の位置まで移動させた後（カーソル２２ａ→２２ｄ→２２ｈの軌跡で移動）、その枠を離すという動作を行うだけでポップアップ表示２１ａからポップアップ表示２１ｂへ移動させることができる。移動したポップアップ表示２１ｂの足（元情報からポップアップ表示へと引き出された部分）は、移動させた時点で消すことにより、元情報から切り離されたポップアップ表示か否かを分かりやすく表示するものである。
【００３９】
このように、ポップアップ表示２１ｂを保持した状態で任意の位置に移動することができるため、都合の良いポップアップ表示２１ｂの位置で内容を見ながら作業を行うことができる。
【００４０】
また、図１０では、上記実施の形態２の場合と同様に、２つのポップアップ表示２１ａと５１とを表示させ、それぞれの表示を保持した後、ポップアップ表示２１ａを上記したマウス３のカーソル２２を使ってポップアップ表示２１ａの枠を掴んで右方向へ移動させ（カーソル２２ａ→２２ｄ→２２ｈ）、ポップアップ表示２１ｂの位置で枠を離す動作を行うことにより、ポップアップ表示２１ｂとポップアップ表示５１とを真横に並べて配置することが可能となる。
【００４１】
このように、複数のポップアップ表示を行い、その中の任意のポップアップ表示を移動させるようにすることで、ポップアップ表示内容を相互に比較しながら作業を効率良く進めることができる。
【００４２】
（実施の形態４）
本実施の形態４の特徴は、画面内に保持されたポップアップ表示を任意に閉じることができるようにした点である。本実施の形態４のポップアップ表示装置１は、上記実施の形態１の図１と略同様であるので、構成説明を省略する。
【００４３】
図１１は、実施の形態４の動作を説明する図である。なお、図１１の前段の動作については、実施の形態１の図３および図４と同じであるので、これを使って動作を説明することにする。
【００４４】
まず、図４に示すように、これまでのポップアップ表示１１は、ボタン１３をマウス３のカーソル１２でクリックして表示させたとしても、自動的に閉じてしまうか、表示を再度クリックすることにより閉じていた。しかし、このようにすると、自動的に閉じるポップアップ形式の場合は、読んでいる途中で自動的に閉じてしまうことがあるため、表示させた状態で移動させることができず、また、クリックして表示させる方式（Ｗｉｎｄｏｗｓのポップヒントのような）の場合は、再度クリックすると消えてしまうため、と同様に移動することができなかった。
【００４５】
そこで、本実施の形態４では、図３に示すように、マウス３のカーソル１２の右クリックのメニューにポップアップ表示を解除する解除ボタン１４ｂを設け、これを操作者が選択することにより、任意の時期に表示を解除することができる。
【００４６】
また、実施の形態４では、図１１に示すように、ポップアップ表示１１内に解除ボタン１１ａを設ける、すなわち、表示を閉じるための解除ボタン１１ａをポップアップ表示１１に付けることにより、元のアプリケーションボタンとの混同を防ぐことができる。ポップアップ表示１１を閉じる場合は、図１１に示すように、解除ボタン１１ａをカーソル１２で押すことにより、表示されたポップアップ表示１１を閉じることができる。
【００４７】
（実施の形態５）
本実施の形態５の特徴は、ポップアップ表示の画面サイズを変更できるようにした点である。本実施の形態５のポップアップ表示装置１は、上記実施の形態１の図１と略同様であるので、構成説明を省略する。
【００４８】
図１２〜図１８は、実施の形態５の動作を説明する図である。これまでのポップアップ表示は、画面サイズが変更できなかったため、表示する情報量を限定する必要があった。また、最初から多くの情報を表示しようとすると、限られた面積の画面内の多くの部分を占めてしまうため、操作性が悪くなり、実用的でなくなるおそれがあった。
【００４９】
そこで、本実施の形態５では、限られた面積の画面内で適切な量の情報が表示できるようにするため、図１２に示すように、ポップアップ表示６１の枠の所々にグリップポイント６６と称する白枠が設けられている。そして、ポップアップ表示６１の大きさや表示部分を任意に変更できるようにするため、上記したポップアップ表示６１の枠やグリップポイント６６をカーソル６２で掴んで任意の方向に引くことで、思うままに拡大や縮小を行うことができる（図１２、図１３参照）。
【００５０】
また、本実施の形態５では、ポップアップ表示の大きさを変更するのではなく、図１４に示すように、ポップアップ表示６１にスクロールバー７１を設けることにより、ポップアップ表示内に納まり切れない情報量があっても、スクロールバー７１を動かして情報内容を順次読み取れるようにすれば、ポップアップ表示枠を大きくせずに、種々の情報量にも対応することができる。
【００５１】
さらに、図１５に示すように、ポップアップ表示６１の中に全画面ボタン８１を設けておき、この全画面ボタン８１をカーソル６２でクリックすることにより、全ての情報を表示することができる図１６のポップアップ表示６１に自動拡大される。
【００５２】
また、この図１６のポップアップ表示６１に拡大された後は、ポップアップ表示６１の中には戻りボタン８２が表示される。この戻りボタン８２をカーソル６２でクリックすると、再び元の大きさのポップアップ表示６１（図１５参照）に縮小される。これにより、ポップアップ表示の枠の大きさに無駄がなくなり、内容を読む時だけ情報量に応じたポップアップ表示の枠に拡大され、読み終わると元の大きさに縮小することができるので、他の操作性に悪影響を与えることもなくなる。
【００５３】
また、図１７に示すように、ポップアップ表示６１の中に拡大ボタン８３や縮小ボタン８４を設けておき、この何れかのボタン８３、８４をカーソルでクリックすることにより、一定の倍率でポップアップ表示の表示面積を拡大／縮小することができるようにしたものである。
【００５４】
また、図１８に示すように、ポップアップ表示６１の中に拡大縮小スライドバー８５を設けておき、この拡大縮小スライドバー８５をマウスのカーソルなどを使って掴んで移動させることにより、リニアに表示面積を変更することができるようにすることもできる。
【００５５】
上記した操作手順は、何れもポップアップ表示を行い、これを保持した後、上述した各操作を行うようにするものである。
【００５６】
このように、本実施の形態５では、ポップアップ表示の大きさを変更したり、表示内容をスクロールさせることで、必要以上にポップアップ表示を大きくせずに、ポップアップ表示内の全ての情報を適切に表示することが可能である。
【００５７】
（実施の形態６）
本実施の形態６の特徴は、ポップアップ表示を移動させた場合に、元情報との関連性が容易にとれるようにした点である。なお、本実施の形態６のポップアップ表示装置１は、上記実施の形態１の図１と略同様であるので、構成説明を省略する。
【００５８】
図１９〜図２１は、本実施の形態６の動作を説明する図である。まず、図１９では、文書アイコン９３をマウスなどのカーソル９２で左クリックしてポップアップ表示９１ａを行い、これを保持する。また、文書アイコン９７をマウスなどのカーソル９２で左クリックしてポップアップ表示９８を行い、これを保持する。
【００５９】
次に、上記した保持されたポップアップ表示９１ａの枠をカーソル９２で掴んで右方向へ移動させ（カーソル９２ａ→９２ｄ→９２ｈ）、ポップアップ表示９１ｂの位置で枠を離すことにより、ポップアップ表示９１ｂとポップアップ表示９８とを真横に並べて配置することができる。
【００６０】
ここで、ポップアップ表示９１ｂは、ポップアップ表示９１ａの時のような足が付いていないため、元情報がどれかが分からなくなることがある。その場合、本実施の形態６では、図１９に示すように、ポップアップ表示９１ｂの中に元の位置ボタン９９が表示されるため、元情報が分からなくなると操作者がこの元の位置ボタン９９をカーソル等でクリックするだけで、図２０の矢印Ａ方向に移動して、ポップアップ表示９１ｂが移動前のポップアップ表示９１ａの位置に戻すことができる。
【００６１】
また、実施の形態６では、ポップアップ表示を元の位置に戻す他、図２１に示すように、移動したポップアップ表示と元情報との関連性を保持しておき、移動後のポップアップ表示９１ｂの中に元情報表示ボタン１００を付けておくことにより、元情報との関連性が分からなくなった時、元情報表示ボタン１００をカーソル９２でクリックするだけで、元情報の文書アイコン９３の表示（ここでは、アイコンの枠の線を太く表示）が他のアイコンと異なって表示されるので、操作者は移動させたポップアップ表示９１ｂと元情報の文書アイコン９３との関連を見ることができる。
【００６２】
なお、本実施の形態６では、元情報表示ボタン１００をクリックした際に、関連する文書アイコンの枠の線を太く表示するようにしたが、勿論これに限定されるものではなく、他のボタンやアイコンと視覚的に区別の付きやすい表示であれば何でも良い。例えば、表示の色を変えたり、点滅表示を行ったりすることなどが考えられる。
【００６３】
【発明の効果】
以上説明したように、本発明のポップアップ表示装置（請求項１）によれば、画像表示手段に任意の情報やメニュー等を提供するための階層的なウィンドウ画面が表示され、画像表示手段により表示された上位画面に含まれる所定の領域に関連する下位画面を、上位画面を重ねて表示する制御が行われる。そして、入力操作手段により下位画面に対する入力操作が行われた場合、下位画面を保持し続けるか否かを示す選択画面を表示し、入力操作手段により選択画面で下位画面を保持し続ける旨の入力操作が行われた場合、表示された下位画面を任意の期間表示し続けるように制御する。このため、カーソル等を別の場所に移動したり、別の対象オブジェクトをカーソル等で選択したとしても、下位画面（前のポップアップ画面）の表示を保持しておくことができる。
【００６４】
また、本発明のポップアップ表示装置（請求項２）によれば、下位画面変更手段により下位画面（ポップアップ表示）の大きさや表示内容位置が変更できるため、最初に表示する下位画面のサイズが小さくても、情報量に応じて画面サイズを変更したり、また、画面サイズを変えなくても、スクロール表示などを行うことにより、多くの情報を表示することができる。
【００６５】
また、本発明のポップアップ表示装置（請求項３）によれば、下位画面があっても、表示制御手段はこれと並行して他の下位画面の表示を行ったり、画面の保持操作ができるため、複数の下位画面（ポップアップ表示）を同時に表示させることができる。
【００６６】
また、本発明のポップアップ表示装置（請求項４）によれば、元情報である上位画面の所定の領域と、下位画面との関連性が示されることで、下位画面（ポップアップ表示）がどの元情報に関連しているものかを容易に知ることができる。
【００６７】
また、本発明のポップアップ表示装置（請求項５）によれば、所定の領域と下位画面の対応関係が視覚的に確認できる。
【００６８】
また、本発明のポップアップ表示装置（請求項６）によれば、下位画面を移動手段により任意の位置へ移動することができるため、下位画面（ポップアップ表示）の内容を見ながら作業したり、また、内容を比較しながら作業を行うことができる。
【図面の簡単な説明】
【図１】本実施の形態１に係るポップアップ表示装置の概略構成を示すブロック図である。
【図２】通常のポップアップ表示の画面例を示した図である。
【図３】マウスの右クリックのメニューにポップアップ表示の保持ボタンを設けた図である。
【図４】キーボードとマウスを使ってポップアップ表示を保持させる場合の説明図である。
【図５】キーボードとマウスを使ってポップアップ表示を保持させる場合の説明図である。
【図６】実施の形態２の動作を説明する図である。
【図７】実施の形態２の動作を説明する図である。
【図８】実施の形態２の動作を説明する図である。
【図９】実施の形態３の動作を説明する図である。
【図１０】実施の形態３の動作を説明する図である。
【図１１】実施の形態４の動作を説明する図である。
【図１２】実施の形態５の動作を説明する図である。
【図１３】実施の形態５の動作を説明する図である。
【図１４】実施の形態５の動作を説明する図である。
【図１５】実施の形態５の動作を説明する図である。
【図１６】実施の形態５の動作を説明する図である。
【図１７】実施の形態５の動作を説明する図である。
【図１８】実施の形態５の動作を説明する図である。
【図１９】実施の形態６の動作を説明する図である。
【図２０】実施の形態６の動作を説明する図である。
【図２１】実施の形態６の動作を説明する図である。
【符号の説明】
１  ポップアップ表示装置
２  ＣＰＵ
３  マウス
４  キーボード
５  メモリ
６  表示メモリ
７  ディスプレイ
８  イベント検出部
９  イベント処理部
１１  ポップアップ表示
１２  カーソル
１３  ボタン
１４  メニュー
１４ａ  保持ボタン
１４ｂ  表示解除ボタン
２１  ポップアップ表示
２２  カーソル
２３〜２９  文書アイコン
３１  メニュー
３１ａ  保持ボタン
４１  ポップアップ表示
５１  ポップアップ表示
６１  ポップアップ表示
６２  カーソル
６３〜６５  文書アイコン
６６  グリップポイント
７１  スクロールバー
８１  全画面ボタン
８２  戻りボタン
８３  拡大ボタン
８４  縮小ボタン
８５  拡大縮小スライドバー
９１  ポップアップ表示
９３〜９７  文書アイコン
９８  ポップアップ表示
９９  元の位置ボタン
１００  元情報表示ボタン
【図１】
0004033618.tif 000002
【図２】
0004033618.tif 000003
【図３】
0004033618.tif 000004
【図４】
0004033618.tif 000005
【図５】
0004033618.tif 000006
【図６】
0004033618.tif 000007
【図７】
0004033618.tif 000008
【図８】
0004033618.tif 000009
【図９】
0004033618.tif 000010
【図１０】
0004033618.tif 000011
【図１１】
0004033618.tif 000012
【図１２】
0004033618.tif 000013
【図１３】
0004033618.tif 000014
【図１４】
0004033618.tif 000015
【図１５】
0004033618.tif 000016
【図１６】
0004033618.tif 000017
【図１７】
0004033618.tif 000018
【図１８】
0004033618.tif 000019
【図１９】
0004033618.tif 000020
【図２０】
0004033618.tif 000021
【図２１】
0004033618.tif 000022